(57)【特許請求の範囲】
【請求項１】
軌道部材と移動部材とが複数の転動体を介して荷重を負荷しながら相対移動自在に係合する運動案内装置に対して所定量の潤滑剤を供給するために用いられる運動案内装置用潤滑剤充填容器であって、
所定量の潤滑剤が充填される本体部と、
前記本体部に連設されるキャップ部と、
を備え、
前記キャップ部に力を加えて該キャップ部を前記本体部から切り離し、前記本体部に開口を形成することによって運動案内装置に対する潤滑剤の供給を行うことを特徴とする運動案内装置用潤滑剤充填容器。
【請求項２】
請求項１に記載の運動案内装置用潤滑剤充填容器において、
前記本体部は、
所定量の潤滑剤が充填されるタンク部と、
一端側が前記タンク部に連設されるとともに他端側に前記キャップ部が連設され、且つ、前記タンク部が押圧力を受けて潤滑剤が押し出されるときに該潤滑剤の導出経路となるネック部と、
によって構成されていることを特徴とする運動案内装置用潤滑剤充填容器。
【請求項３】
請求項１又は２に記載の運動案内装置用潤滑剤充填容器において、
前記ネック部に形成される前記潤滑剤の導出経路は、前記キャップ部を切り離したときに形成される開口の径が運動案内装置の備えるニップル径よりも小さくなるように構成されていることを特徴とする運動案内装置用潤滑剤充填容器。
【請求項４】
請求項１又は２に記載の運動案内装置用潤滑剤充填容器において、
前記ネック部に形成される前記潤滑剤の導出経路は、前記キャップ部を切り離したときに形成される開口近傍の径が徐々に大きくなるようテーパ形状に形成されていることを特徴とする運動案内装置用潤滑剤充填容器。
【請求項５】
軌道部材と移動部材とが複数の転動体を介して荷重を負荷しながら相対移動自在に係合する運動案内装置に対して所定量の潤滑剤を供給するために用いられる運動案内装置用潤滑剤充填容器であって、
所定量の潤滑剤が充填される本体部と、
前記本体部に連設される先細円錐形状をした油差し部と、
を備え、
前記油差し部の先端に針を突き刺して開口を形成することにより、運動案内装置に対する潤滑剤の供給を行うことを特徴とする運動案内装置用潤滑剤充填容器。
【請求項６】
請求項５に記載の運動案内装置用潤滑剤充填容器において、
前記本体部は、
所定量の潤滑剤が充填されるタンク部と、
一端側が前記タンク部に連設されるとともに他端側に前記油差し部が連設され、且つ、前記タンク部が押圧力を受けて潤滑剤が押し出されるときに該潤滑剤の導出経路となるネック部と、
によって構成されていることを特徴とする運動案内装置用潤滑剤充填容器。
【請求項７】
軌道部材と移動部材とが複数の転動体を介して荷重を負荷しながら相対移動自在に係合する運動案内装置に対して所定量の潤滑剤を供給するために用いられる運動案内装置用潤滑剤充填容器であって、
所定量の潤滑剤が充填されるタンク部と、
前記タンク部の一端側に連設されるとともに前記タンク部が押圧力を受けて潤滑剤が押し出されるときに該潤滑剤の導出経路となる第１のネック部と、
前記第１のネック部の先端側に連設されるキャップ部と、
前記タンク部の他端側に連設されるとともに前記タンク部が押圧力を受けて潤滑剤が押し出されるときに該潤滑剤の導出経路となる第２のネック部と、
前記第２のネック部の先端側に連設される先細円錐形状をした油差し部と、
を備え、
前記キャップ部に力を加えて該キャップ部を前記第１のネック部から切り離したときには、前記第１のネック部の先端に形成された開口から運動案内装置に対する潤滑剤の供給を行い、
前記油差し部の先端に針を突き刺して開口を形成したときには、前記油差し部の先端に形成された開口から運動案内装置に対する潤滑剤の供給を行うことを特徴とする運動案内装置用潤滑剤充填容器。
【請求項８】
請求項２〜４、６および７のいずれか１項に記載の運動案内装置用潤滑剤充填容器において、
前記タンク部が、柔軟性シートによって袋状に形成されたパウチ状容器体として構成されていることを特徴とする運動案内装置用潤滑剤充填容器。
【請求項９】
請求項８に記載の運動案内装置用潤滑剤充填容器において、
パウチ状容器体として構成される前記タンク部に対して、前記ネック部と前記キャップ部、前記ネック部と前記油差し部、前記第１のネック部と前記キャップ部、又は第２のネック部と前記油差し部のそれぞれが、前記タンク部内に収納可能に構成されていることを特徴とする運動案内装置用潤滑剤充填容器。
【請求項１０】
請求項２〜４、６〜９のいずれか１項に記載の運動案内装置用潤滑剤充填容器において、
前記タンク部の表面には、潤滑剤の押出量を計量するための目盛が表示されていることを特徴とする運動案内装置用潤滑剤充填容器。
【発明の詳細な説明】
【技術分野】
【０００１】
本発明は、運動案内装置に対して所定量の潤滑剤を無駄なく供給することができる運動案内装置用潤滑剤充填容器に関するものである。
【背景技術】
【０００２】
軌道部材と移動部材とが複数の転動体を介して荷重を負荷しながら相対移動自在に係合する運動案内装置は、その運動の基本が転がり運動に基づくため、摺動抵抗が低いという利点があり、現在、工作機械や搬送装置を始めとして、半導体製造装置、医療装置などの多くの用途に用いられている。
【０００３】
このような運動案内装置においては、軌道部材と移動部材との間の摺動抵抗を軽減することによって、転動体それ自体の摩耗を抑制したり、転動体が転走する軌道レールやねじ軸等の軌道部材側の転走面、あるいは摺動台やナット部材等の移動部材側の負荷転走面の摩耗を抑制したりして、軌道部材と移動部材との間における高精度の運動を長期に亘って維持する必要がある。そこで、この種の運動案内装置にあっては、転動体の表面や上記軌道部材側の転走面および移動部材側の負荷転走面に対して、その使用条件に応じた適切な潤滑を施すことが必要となっている。
【０００４】
そして、運動案内装置に対する従来の潤滑剤供給方法としては、図８に示すように、運動案内装置が備える給脂用ニップル８１に対してグリースガン８２のノズル先端を設置し、グリースガン８２の操作レバー８３を操作することによって潤滑剤を供給することが一般的に行われていた。
【発明の開示】
【発明が解決しようとする課題】
【０００５】
しかしながら、潤滑剤の供給にグリースガン８２を用いた場合には、操作者が適正量を把握することが困難であるため、運動案内装置に対して過度に潤滑剤を供給してしまうという問題が発生しがちであった。
【０００６】
また、この種の潤滑剤では、一般的に未使用時の性能保証期間が２年であり、潤滑剤容器開封後は１年程度の寿命とされている。しかしながら、潤滑剤容器の容量はユーザの使用量に応じて決められているわけではないので、グリースガン８２を用いた場合には、使用せずに余った潤滑剤を廃棄しなければならなくなったり、使用中の潤滑剤の期限管理を徹底しておかなければならないなど、コスト面での問題や管理面での煩わしさが存在していた。
【０００７】
本発明は、上述した課題の存在に鑑みて成されたものであって、その目的は、運動案内装置に対して所定量の潤滑剤を無駄なく供給することができ、しかも潤滑剤の使用期限管理を大幅に簡略化することができる運動案内装置用潤滑剤充填容器を提供することにある。
【課題を解決するための手段】
【０００８】
本発明に係る運動案内装置用潤滑剤充填容器は、軌道部材と移動部材とが複数の転動体を介して荷重を負荷しながら相対移動自在に係合する運動案内装置に対して所定量の潤滑剤を供給するために用いられる運動案内装置用潤滑剤充填容器であって、所定量の潤滑剤が充填される本体部と、前記本体部に連設されるキャップ部と、を備え、前記キャップ部に力を加えて該キャップ部を前記本体部から切り離し、前記本体部に開口を形成することによって運動案内装置に対する潤滑剤の供給を行うことを特徴とする。
【０００９】
本発明に係る運動案内装置用潤滑剤充填容器において、前記本体部は、所定量の潤滑剤が充填されるタンク部と、一端側が前記タンク部に連設されるとともに他端側に前記キャップ部が連設され、且つ、前記タンク部が押圧力を受けて潤滑剤が押し出されるときに該潤滑剤の導出経路となるネック部と、によって構成することができる。
【００１０】
また、本発明に係る運動案内装置用潤滑剤充填容器において、前記ネック部に形成される前記潤滑剤の導出経路は、前記キャップ部を切り離したときに形成される開口の径が運動案内装置の備えるニップル径よりも小さくなるように構成することができる。
【００１１】
また、本発明に係る運動案内装置用潤滑剤充填容器において、前記ネック部に形成される前記潤滑剤の導出経路は、前記キャップ部を切り離したときに形成される開口近傍の径が徐々に大きくなるようテーパ形状に形成することができる。
【００１２】
本発明に係る別の運動案内装置用潤滑剤充填容器は、軌道部材と移動部材とが複数の転動体を介して荷重を負荷しながら相対移動自在に係合する運動案内装置に対して所定量の潤滑剤を供給するために用いられる運動案内装置用潤滑剤充填容器であって、所定量の潤滑剤が充填される本体部と、前記本体部に連設される先細円錐形状をした油差し部と、を備え、前記油差し部の先端に針を突き刺して開口を形成することにより、運動案内装置に対する潤滑剤の供給を行うことを特徴とする。
【００１３】
また、本発明に係る別の運動案内装置用潤滑剤充填容器において、前記本体部は、所定量の潤滑剤が充填されるタンク部と、一端側が前記タンク部に連設されるとともに他端側に前記油差し部が連設され、且つ、前記タンク部が押圧力を受けて潤滑剤が押し出されるときに該潤滑剤の導出経路となるネック部と、によって構成することができる。
【００１４】
本発明に係る他の運動案内装置用潤滑剤充填容器は、軌道部材と移動部材とが複数の転動体を介して荷重を負荷しながら相対移動自在に係合する運動案内装置に対して所定量の潤滑剤を供給するために用いられる運動案内装置用潤滑剤充填容器であって、所定量の潤滑剤が充填されるタンク部と、前記タンク部の一端側に連設されるとともに前記タンク部が押圧力を受けて潤滑剤が押し出されるときに該潤滑剤の導出経路となる第１のネック部と、前記第１のネック部の先端側に連設されるキャップ部と、前記タンク部の他端側に連設されるとともに前記タンク部が押圧力を受けて潤滑剤が押し出されるときに該潤滑剤の導出経路となる第２のネック部と、前記第２のネック部の先端側に連設される先細円錐形状をした油差し部と、を備え、前記キャップ部に力を加えて該キャップ部を前記第１のネック部から切り離したときには、前記第１のネック部の先端に形成された開口から運動案内装置に対する潤滑剤の供給を行い、前記油差し部の先端に針を突き刺して開口を形成したときには、前記油差し部の先端に形成された開口から運動案内装置に対する潤滑剤の供給を行うことを特徴とする。
【００１５】
また、上記した本発明に係る運動案内装置用潤滑剤充填容器においては、前記タンク部が、柔軟性シートによって袋状に形成されたパウチ状容器体として構成されていることとすることができる。
【００１６】
さらに、本発明に係る運動案内装置用潤滑剤充填容器においては、パウチ状容器体として構成される前記タンク部に対して、前記ネック部と前記キャップ部、前記ネック部と前記油差し部、前記第１のネック部と前記キャップ部、又は第２のネック部と前記油差し部のそれぞれが、前記タンク部内に収納可能に構成されていることとすることができる。
【００１７】
またさらに、本発明に係る運動案内装置用潤滑剤充填容器において、パウチ状容器体として構成される前記タンク部の表面には、潤滑剤の押出量を計量するための目盛を表示することができる。
【００１８】
なお上記発明の概要は、本発明の必要な特徴の全てを列挙したものではなく、これらの特徴群のサブコンビネーションもまた発明となり得る。
【発明の効果】
【００１９】
本発明によれば、供給対象となる運動案内装置の必要量に応じて運動案内装置用潤滑剤充填容器を用意し、所定量の潤滑剤を無駄なく供給することができるので、運動案内装置自体の性能を適切に維持できるとともに、潤滑剤を余らすことがないので、維持・管理コストが削減できる。
【００２０】
また、本発明の運動案内装置用潤滑剤充填容器は、所定量の潤滑剤が充填されていることから使用した際には必要量を使い切ることになるので、従来グリースガン使用時に行っていた潤滑剤の使用期限管理を大幅に簡略化することが可能となる。このことは、使用期限が切れた潤滑剤を使用してしまうという事故を防止することにもつながるため、運動案内装置自体の性能維持の面からも好ましい。
【発明を実施するための最良の形態】
【００２１】
以下、本発明を実施するための好適な実施形態について、図面を用いて説明する。なお、以下の各実施形態は、各請求項に係る発明を限定するものではなく、各実施形態の中で説明されている特徴の組み合わせの全てが発明の解決手段に必須であるとは限らない。
【００２２】
また、以下に説明する各実施形態に係る運動案内装置用潤滑剤充填容器は、軌道部材と移動部材とが複数の転動体を介して荷重を負荷しながら相対移動自在に係合する運動案内装置に対して用いられるものであって、この運動案内装置が備えるあらゆる型式の潤滑剤導入口に適用可能である。この潤滑剤導入口としては、例えば、Ａ型，Ｂ型，Ｃ型，ピンタイプ，ボタンタイプ等のグリスニップルやオイル孔等を想定しており、これらあらゆる型式の潤滑剤導入口に対して、本実施形態に係る運動案内装置用潤滑剤充填容器を用いることが可能である。
【００２３】
さらに、本明細書における「運動案内装置」は、例えば、工作機械などに用いられる転がり軸受全般や真空中で使用される無潤滑軸受、リニアガイドや直線案内装置、ボールスプライン装置、ボールねじ装置などのような、あらゆる転動・摺動動作を伴う装置を含むものである。
【００２４】
［第１の実施形態］
図１は、第１の実施形態に係る運動案内装置用潤滑剤充填容器の外観斜視図である。第１の実施形態に係る運動案内装置用潤滑剤充填容器１０は、グリスニップルに用いられることを想定して創案されたものであり、所定量の潤滑剤が充填される本体部１１と、この本体部１１に連設されるキャップ部１５とから構成されている。
【００２５】
本体部１１は、タンク部１２とネック部１３とによって構成されており、主としてタンク部１２内に所定量の潤滑剤が充填されている。一方、ネック部１３は、くびれ形状に形成されており、一端側（図１における左下側）がタンク部１２に連設されるとともに他端側（図１における右上側）にキャップ部１５が連設されている。
【００２６】
また、第１の実施形態に係る運動案内装置用潤滑剤充填容器１０は、可撓性の樹脂材料によって形成されており、タンク部１２を押圧してその内容積を減少させるとタンク部１２の内部に充填された潤滑剤が押し出され、この潤滑剤が導出経路としての役割を担うネック部１３内を通過するようになっている。また、ネック部１３に連設されるキャップ部１５は、回捻，ひねり，折り曲げ等の力を加えることによって容易にネック部１３から切り離すことができるようになっている。キャップ部１５を切り離すと、ネック部１３の先端には開口が形成されることになるので、この状態からタンク部１２を押圧することによって、開口を通じた潤滑剤の押し出しが可能となり、運動案内装置に対する潤滑剤の供給が実現する。
【００２７】
なお、ネック部１３に形成される潤滑剤の導出経路の形状については、様々な形態を採用することが可能である。例えば、図２Ａにおいて示すネック部１３のように、キャップ部１５を切り離したときに形成される開口の径が、開口の出口付近で一定となるようにすることが可能である（図２Ａにおける符号１４ａの箇所参照）。そして、この場合には、キャップ部１５を切り離したときに形成される開口の径が、運動案内装置の備えるニップル径よりも僅かに小さくなるように構成することが好適である。ネック部１３に形成される潤滑剤の導出経路がニップル径よりも僅かに小さくなるように構成することにより、ネック部１３の先端がグリスニップルに確実に嵌り込み、タンク部１２内に充填された運動案内装置にとって適量の潤滑剤を漏れなく供給することが可能となる。
【００２８】
また、ネック部１３に形成される潤滑剤の導出経路の別の形状としては、図２Ｂに例示するように、キャップ部１５を切り離したときに形成される開口の径が、開口の出口に行くに従って徐々に大きくなるようにテーパ形状として形成することも好適である（図２Ｂにおける符号１４ｂの箇所参照）。導出経路をテーパ形状とすることによって、複数サイズのグリスニップルに対応することが可能となり、第１の実施形態に係る運動案内装置用潤滑剤充填容器の適用範囲が拡大されることになる。
【００２９】
次に、第１の実施形態に係る運動案内装置用潤滑剤充填容器１０の使用方法について、図３を用いて説明する。図３は、第１の実施形態に係る運動案内装置用潤滑剤充填容器の使用方法を説明するための図である。
【００３０】
まず、図３における（ａ）で示されるように、第１の実施形態に係る運動案内装置用潤滑剤充填容器１０のキャップ部１５に力を加えることによってネック部１３からキャップ部１５を切り離し、本体部１１（特に、タンク部１２）内に充填された潤滑剤を押し出し可能な状態とする。
【００３１】
次に、図３における（ｂ）で示されるように、ネック部１３の先端に形成された開口を運動案内装置３０が備えるグリスニップル３１に確実に嵌め込む。
【００３２】
続いて、図３における（ｃ）で示されるように、例えば符号Ｘで示される矢印の方向にタンク部１２を押圧することによってタンク部１２を押し潰し、内部に充填された潤滑剤を運動案内装置３０内に供給する。このとき、本体部１１（特に、タンク部１２）内には、供給先となる運動案内装置３０に応じた所定量の潤滑剤が充填されているので、潤滑剤が無駄になることがなく、しかも運動案内装置３０の性能・寿命等にとっても非常に好ましい状態が維持されることとなる。
【００３３】
最後に、切り離されたキャップ部１５と潤滑剤の充填を終えた本体部１１を廃棄することにより、運動案内装置３０に対する潤滑剤供給作業が終了する。
【００３４】
［第２の実施形態］
以上説明した第１の実施形態に係る運動案内装置用潤滑剤充填容器１０は、グリスニップルに対応することを想定したものであった。次に説明する第２の実施形態に係る運動案内装置用潤滑剤充填容器は、オイル孔にオイル等の潤滑剤を供給する場合に好適な形態の運動案内装置用潤滑剤充填容器に関するものである。なお、以下で説明する第２乃至第４の実施形態に係る運動案内装置用潤滑剤充填容器においては、上述した第１の実施形態に係る運動案内装置用潤滑剤充填容器と同一又は類似する部材について、同一符号を付して説明を省略することとする。
【００３５】
第２の実施形態に係る運動案内装置用潤滑剤充填容器１０は、図４において示すように、ネック部１３の先端に先細円錐形状をした油差し部４５が形成されるという形態を有している。この油差し部４５は、内部に空洞が形成されているとともに、常にはこの空洞が密封状態となっている。そして、先細円錐形状の先端に針４６を突き刺すことによって開口が形成できるようになっている。油差し部４５が有する先細円錐形状の先端部分は、その形状からちょうどオイル孔に嵌り込むことが可能となっているので、油差し部４５先端をオイル孔に嵌め込んだ状態でタンク部１２を押し潰すことにより、運動案内装置３０への潤滑剤の供給が可能となる。
【００３６】
［第３の実施形態］
上述した第１および第２の実施形態に係る運動案内装置用潤滑剤充填容器１０は、これらを組み合わせて構成することも可能である。この場合の具体的な形態を図５に示す。図５は、第３の実施形態に係る運動案内装置用潤滑剤充填容器の構成を説明するための外観斜視図である。
【００３７】
図５に示すように、第３の実施形態に係る運動案内装置用潤滑剤充填容器５０は、所定量の潤滑剤が充填されるタンク部５２の両側に潤滑剤の導出経路が形成される構成を有している。すなわち、タンク部５２の一端側（図５における左下側）には第１のネック部５３が連設されており、タンク部５２が（例えば、符号Ｘで示される方向の）押圧力を受けて潤滑剤が押し出されるときにこの潤滑剤の導出経路となる役割を担っている。さらに、第１のネック部５３の先端側にはキャップ部５５が連設されており、このキャップ部５５に力を加えてキャップ部５５を第１のネック部５３から切り離したときには、第１のネック部５３の先端に形成された開口から運動案内装置３０に対する潤滑剤の供給を行うことが可能となる。
【００３８】
一方、タンク部５２の他端側（図５における右上側）には第２のネック部５６が連設されている。この第２のネック部５６もタンク部５２が押圧力を受けて潤滑剤が押し出されるときにこの潤滑剤の導出経路となる役割を担っている。そして、第２のネック部５６の先端側には先細円錐形状をした油差し部５７が連設されている。油差し部５７は、その先端に針５８を突き刺すことによって開口が容易に形成できるようになっており、このようにして開口が形成された油差し部５７の先端を運動案内装置３０が備えるオイル孔等に嵌め込むことによって、確実な潤滑剤の供給が可能となる。
【００３９】
［第４の実施形態］
上述した第１乃至第３の実施形態に係る運動案内装置用潤滑剤充填容器１０，５０は、少なくともタンク部１２，５２が可撓性の樹脂材料によって構成されていた。次に説明する第４の実施形態に係る運動案内装置用潤滑剤充填容器６０は、タンク部が柔軟性シートによって袋状に形成されたパウチ状容器体として構成されている場合の形態を備えるものである。
【００４０】
ここで、図６は、第４の実施形態に係る運動案内装置用潤滑剤充填容器６０を示す外観斜視図である。また、図７は、第４の実施形態に係る運動案内装置用潤滑剤充填容器６０の使用方法を説明するための図である。
【００４１】
第４の実施形態に係る運動案内装置用潤滑剤充填容器６０は、上述した第３の実施形態の場合と同様に、所定量の潤滑剤が充填されるタンク部６２の両側に潤滑剤の導出経路が形成される構成を有している。すなわち、タンク部６２の一端側（図６における左下側）には第１のネック部６３が連設されており、タンク部６２が押圧力を受けて潤滑剤が押し出されるときにこの潤滑剤の導出経路となる役割を担っている。さらに、第１のネック部６３の先端側にはキャップ部６５が連設されており、このキャップ部６５に力を加えてキャップ部６５を第１のネック部６３から切り離したときには、第１のネック部６３の先端に開口が形成される。そして、この開口から運動案内装置３０に対する潤滑剤の供給を行うことが可能となる。
【００４２】
一方、タンク部６２の他端側（図６における右上側）には第２のネック部６６が連設されている。この第２のネック部６６もタンク部６２が押圧力を受けて潤滑剤が押し出されるときにこの潤滑剤の導出経路となる役割を担っている。そして、第２のネック部６６の先端側には先細円錐形状をした油差し部６７が連設されている。油差し部６７は、その先端に針６８を突き刺すことによって開口が容易に形成できるようになっており（図７中（ｂ）参照）、このようにして開口が形成された油差し部６７の先端を運動案内装置３０が備えるオイル孔等に嵌め込むことによって、確実な潤滑剤の供給が可能となる。
【００４３】
また、第４の実施形態に係る運動案内装置用潤滑剤充填容器６０は、タンク部６２が、柔軟性シートによって袋状に形成されたパウチ状容器体として構成されている。したがって、潤滑剤を押し出した後は、タンク部６２が平らに押し潰されて嵩張ることがないので、使用後に邪魔になることがない。また、第４の実施形態に係るタンク部６２は、図７における（ａ）で示されるように、潤滑剤導出経路となる第１のネック部６３とキャップ部６５、および第２のネック部６６と油差し部６７のそれぞれをタンク部６２内に収納できるようになっているので、使用前の状態であっても、保存管理が実施し易い形態となっている。
【００４４】
なお、柔軟性シートによって袋状に形成されるタンク部６２の表面には、潤滑剤の押出量を計量するための目盛６９を表示することが好適である。例えば、クリップなどを用いて所望量の目盛６９に合わせてタンク部６２を仕切ることにより、必要な量の潤滑剤を押し出すことが可能となる。
【００４５】
次に、第４の実施形態に係る運動案内装置用潤滑剤充填容器６０の使用方法について、図７を用いて説明する。
【００４６】
まず、図７における（ａ）で示されるように、第４の実施形態に係る運動案内装置用潤滑剤充填容器６０のキャップ部６５もしくは油差し部６７を摘んで符号αで示される方向に引き出すことにより、第１のネック部６３とキャップ部６５、又は第２のネック部６６と油差し部６７をタンク部６２から突出させることができる。なお、潤滑剤の供給口がグリスニップル等の場合には、第１のネック部６３側を突出させればよいし、潤滑剤の供給口がオイル孔等の場合には、第２のネック部６６側を突出させればよい。
【００４７】
次に、第１のネック部６３側を突出させたときには、図７における（ｂ）で示されるように、第４の実施形態に係る運動案内装置用潤滑剤充填容器６０のキャップ部６５に力を加えることによって第１のネック部６３からキャップ部６５を切り離し、タンク部６２内に充填された潤滑剤を押し出し可能な状態とする。逆に、第２のネック部６６側を突出させたときには、図７における（ｂ）で示されるように、第４の実施形態に係る運動案内装置用潤滑剤充填容器６０の油差し部６７先端に針６８を突き立てることにより開口を形成し、タンク部６２内に充填された潤滑剤を押し出し可能な状態とする。
【００４８】
次に、第１のネック部６３の場合は、その先端に形成された開口を運動案内装置３０が備えるグリスニップル３１に確実に嵌め込む。また、第２のネック部６６の場合は、油差し部６７の先端に形成された開口をオイル孔に対して確実に嵌め込む。
【００４９】
その後、図７における（ｃ）で示されるように、例えば符号βで示される矢印の方向からタンク部６２を押圧することによってタンク部６２を押し潰し、内部に充填された潤滑剤を運動案内装置３０内に供給する。このとき、タンク部６２内には、供給先となる運動案内装置３０に応じた所定量の潤滑剤が充填されているか、もしくはクリップ止めなどにより所定量の潤滑剤のみを押し出すようにすることができるので、潤滑剤を無駄にすることがなく、しかも運動案内装置３０の性能・寿命等にとっても非常に好ましい状態が維持されることとなる。
【００５０】
最後に、切り離されたキャップ部６５と潤滑剤の充填を終えたタンク部６２等を廃棄することにより、運動案内装置３０に対する潤滑剤供給作業が終了する。
【００５１】
以上、本発明の好適な実施形態について説明したが、本発明の技術的範囲は上記各実施形態に記載の範囲には限定されない。上記各実施形態には、多様な変更又は改良を加えることが可能である。
【００５２】
例えば、第４の実施形態で説明したパウチ状容器体として構成されるタンク部６２を有する運動案内装置用潤滑剤充填容器６０については、グリスニップル用の第１のネック部６３と、オイル孔用の第２のネック部６６との両方を備えている形態について説明した。しかしながら、パウチ状容器体として構成されるタンク部６２については、第１のネック部６３又は第２のネック部６６のいずれか一方のみを備えるように構成することも可能である。すなわち、パウチ状容器体として構成されるタンク部６２が、第１のネック部６３とキャップ部６５のみ、あるいは第２のネック部６６と油差し部６７のみを備えるように構成することも可能である。
【００５３】
さらに、グリスニップル用およびオイル孔用の導出経路を備える形態の運動案内装置用潤滑剤充填容器については、タンク部を２分割し、それぞれグリスニップル用の導出経路の側にグリスを、オイル孔用の導出経路の側にオイルを充填するように構成することも可能である。その様な変更又は改良を加えた形態も本発明の技術的範囲に含まれ得ることが、特許請求の範囲の記載から明らかである。
【００５４】
なお、本発明に係る運動案内装置用潤滑剤充填容器は、所望量の潤滑剤のみが充填されていることから使い切った後に気軽に廃棄でき、管理面だけでなく環境面からも有利な効果を有している。
【図面の簡単な説明】
【００５５】
【図１】第１の実施形態に係る運動案内装置用潤滑剤充填容器の外観斜視図である。
【図２Ａ】第１の実施形態に係る運動案内装置用潤滑剤充填容器のネック部に形成される潤滑剤導出経路の形状を例示する要部拡大図である。
【図２Ｂ】第１の実施形態に係る運動案内装置用潤滑剤充填容器のネック部に形成される潤滑剤導出経路の別の形状を例示する要部拡大図である。
【図３】第１の実施形態に係る運動案内装置用潤滑剤充填容器の使用方法を説明するための図である。
【図４】第２の実施形態に係る運動案内装置用潤滑剤充填容器の要部拡大図である。
【図５】第３の実施形態に係る運動案内装置用潤滑剤充填容器の構成を説明するための外観斜視図である。
【図６】第４の実施形態に係る運動案内装置用潤滑剤充填容器を示す外観斜視図である。
【図７】第４の実施形態に係る運動案内装置用潤滑剤充填容器の使用方法を説明するための図である。
【図８】運動案内装置に対する従来の潤滑剤供給方法を示した図である。
【符号の説明】
【００５６】
１０  運動案内装置用潤滑剤充填容器、１１  本体部、１２  タンク部、１３  ネック部、１５  キャップ部、３０  運動案内装置、３１  グリスニップル、４５  油差し部、４６，５８，６８  針、５０  運動案内装置用潤滑剤充填容器、５２  タンク部、５３  第１のネック部、５５  キャップ部、５６  第２のネック部、５７  油差し部、６０  運動案内装置用潤滑剤充填容器、６２  タンク部、６３  第１のネック部、６５  キャップ部、６６  第２のネック部、６７  油差し部、６９  目盛、８１  給脂用ニップル、８２  グリースガン、８３  操作レバー。
【図１】
0004689515.tif 000002
【図２Ａ】
0004689515.tif 000003
【図２Ｂ】
0004689515.tif 000004
【図３】
0004689515.tif 000005
【図４】
0004689515.tif 000006
【図５】
0004689515.tif 000007
【図６】
0004689515.tif 000008
【図７】
0004689515.tif 000009
【図８】
0004689515.tif 000010